(57)【要約】【課題】  目印の取付に対する作業手間を解消し、快適な釣りを行うことのできる釣り具を提供する。【解決手段】  釣り竿の軸線方向に沿った上下方向傾斜角を検出して表示する重錘式水準計５を備える。水準計５を、元竿１の外周面に接着剤等で取り付け固定される本体部５Ａと、錘５ａを一端に備え他端に指示部５ｂを備えた揺動自在に支持された指針５Ｂと、本体部５Ａの縁部に傾斜角を示す指標５ｃとを備えて構成してある。【選択図】        図１
2008067609.tif 000002
【特許請求の範囲】
【請求項１】
釣り竿の軸線方向に沿った上下方向傾斜角を検出して表示する水準計を備えている釣り具。
【請求項２】
釣り竿の軸線方向に沿った上下方向傾斜角を検出して表示する重錘式水準計を備えている釣り具。
【請求項３】
釣り竿の軸線方向に沿った上下方向傾斜角を検出して表示する水泡式水準計を備えている釣り具。
【請求項４】
ベルトによって着脱自在な水準計を備えている釣り竿。
【発明の詳細な説明】
【技術分野】
【０００１】
本発明は、チヌ（黒鯛）釣り等に使用される釣り具に関する。
【背景技術】
【０００２】
チヌ釣りにおいては、落とし込みと言われる釣り方法が用いられている。この釣り方法は、チヌが上から落ちて来るものに興味を示す性質を利用するものであり、餌となるカニ、エビ、虫等を自然に水中において落下するように演出することによって、チヌを誘うものである。
この釣り方法においては、道糸のある一定区間に、所定間隔で目印を複数個を取り付け、この道糸を海底に届く程度に予めリールより引き出して、水面に垂らしながら、釣り竿を前下がり姿勢に傾け乍餌を水中に自然な速度で落とし込み、魚の当りを待つのである（特許文献１参照）。
【０００３】
【特許文献１】実公平７−１８２９２号公報（公報第１欄の第１４行〜第２欄の第６行）
【発明の開示】
【発明が解決しようとする課題】
【０００４】
上記釣り方法によると、仕掛けが水中に落ちて行く過程で、目印の移動速度が変化した点を捉えて魚の当たりがあったものと判断するものである。
しかし、道糸にこのような目印を取り付ける作業は大変手間を採るものであり、水深に対応して目印の取付区間を設定する必要もあり、目印の取付に苦慮する面もあった。
【０００５】
本発明の目的は、目印の取付に対する作業手間を解消し、快適な釣りを行うことのできる釣り具を提供する点にある。
【課題を解決するための手段】
【０００６】
〔構成〕
請求項１に係る発明の特徴構成は、釣り竿の軸線方向に沿った上下方向傾斜角を検出して表示する水準計を備えている点にあり、その作用効果は次の通りである。
【０００７】
〔作用〕
つまり、道糸を繰り出して水面に浮かべ、釣り竿を穂先から下向きに傾斜させながら仕掛けを水面下に沈める。そして、元竿を持つ手に魚の当りが感じられた場合には、そのときの水準計の示す上下方向傾斜角を認識することによって、棚位置を知ることができる。
したがって、手返し時にその上下方向傾斜角まで釣り竿を傾けると魚の当りがあることを期待できることとなる。
また、囮による鮎釣りを行っている場合にも、竿を立てると囮鮎が動きだすが、その場合にも動き出し時の釣り竿の傾斜角を捉えることによって、囮鮎の操作が容易になり、水準計の利用範囲が広がる。
【０００８】
〔効果〕
このように、水準計を設けるだけの簡単な改造によって、道糸に目印を設ける必要がなく、その手間の掛かる作業を行わなくて済むこととなる。
【０００９】
請求項２に係る発明の特徴構成は、釣り竿の軸線方向に沿った上下方向傾斜角を検出して表示する重錘式水準計を備えている点にあり、その作用効果は次の通りである。
【００１０】
〔作用効果〕
つまり、水準計として重錘式のものを採用したので、構造として簡単なもので済み、釣り具としてコスト負担の少ないものにできた。
【００１１】
請求項３に係る発明の特徴構成は、釣り竿の軸線方向に沿った上下方向傾斜角を検出して表示する水泡式水準計を備えている点にあり、その作用効果は次の通りである。
【００１２】
〔作用効果〕
水泡式水準計の採用によって、重錘を利用する場合に比べて構造が大掛かりなものにならず、竿の重量増を必要最小限に抑えることができる。
【００１３】
請求項４に係る発明の特徴構成は、釣り竿がベルトによって着脱自在な水準計を備えている点にあり、その作用効果は次の通りである。
【００１４】
〔作用効果〕
釣り竿に対して水準計を後つけすることができるので、水準計を装備していない既存の釣り竿に対しても水準計を装着することできて、水準計の利用範囲が広がる。
【発明を実施するための最良の形態】
【００１５】
〔第１実施形態〕
チヌ（黒鯛）釣りに使用される釣り竿について説明する。図１に示すように、元竿１の所定位置に板状リールシート２を取付用糸ａで取付け固定するとともに、板状リールシート２の両フード２Ａにリール脚３Ｄを差し込んで片軸受リール３を取付け固定している。板状リールシート２の竿尻側にはグリップ兼用の肘当て部４が設けてある。
図１に示すように、元竿１の外周面で板状リールシート２の竿先側に、釣り竿の軸線方向に沿った前下がり傾斜角を検出して表示する水準計５を装着してある。
【００１６】
重錘式水準計５について説明する。図１に示すように、水準計５は、元竿１の外周面に接着剤等で取り付け固定される本体部５Ａと、錘５ａを一端に備え他端に指示部５ｂを備えた揺動自在に支持された指針５Ｂと、本体部５Ａの縁部に傾斜角を示す指標５ｃが設けて構成してある。
【００１７】
以上のような構成になる釣り竿を持って、前記したように、釣り竿を前下がり姿勢となるように穂先（図示せず）を下向きにして、仕掛けを落として行く。この場合に、徐々に下向けの傾斜角を大きくしながら傾けていくと餌が自然な状態で落下し、チヌの食い気を誘う。そして、当りがあった場合に、水準計５の指針５Ｂが指し示す値が釣り竿の傾斜角である。
以後、この傾斜角を目標にして釣りを続ければよい。
【００１８】
〔第２実施形態〕
水泡式水準計５について説明する。図２に示すように、元竿１の外周面に設ける水準計５としては、外周面の一部にガラス窓６で覆われた空間内に特殊溶液をいれたもので、特殊溶液の水泡７が傾斜角を表示する指標５ｃを指し示す形態のものであってもよい。
つまり、水泡７の指し示す角度が釣り竿の傾斜角を指し示すこととなる。
【００１９】
〔第３実施形態〕
ここでは、図３に示すように、水準計５を片軸受リール３の本体フレーム３Ａの延長部分３Ｅに設けたものであってもよい。つまり、片軸受リール３では、本体フレーム３Ａに摘まみ３Ｃを備えた釣り糸巻取りスプール３Ｂが軸支されているが、本体フレーム３Ａのリール脚３Ｄとは回転軸芯を挟んで反対側に延長部分３Ｅを設け、この延長部分３Ｅに第１実施形態で示した重錘式水準計５又は第２実施形態で示した気泡式水準計５を形成する。
【００２０】
〔第４実施形態〕
図４（イ）（ロ）に示すように、水準計５にベルト８を取り付けて、このベルト８を元竿１の所定位置に取り付けることによって、必要な場合のみ、水準計５を釣り竿に取り付けることができる。ベルト８，８の先端には、ベルト８を元竿１に巻回固定する面ファスナー８Ａ，８Ａが設けてある。水準計５としては、錘５ａを備えた指針５Ｂを利用したものがよい。
【００２１】
〔第５実施形態〕
第１実施形態から第４実施形態までは、水準計５を板状リールシート２より竿先側に配置していたが、図５に示すように、水準計５を板状リールシート２より竿尻側で肘当て部位の１８０°反対側に配置する構成を採ってもよい。この場合の水準計５としては、第１実施形態で示した重錘式水準計５又は第２実施形態で示した気泡式水準計５を形成する。
【００２２】
〔第６実施形態〕
ここでは、水準計５として、干渉薄膜層を形成したものを採用する。図６（ロ）に示すように、元竿１を構成する竿素材１Ａの外周面で板状リールシート２より竿先側において、一定長さＬを備えた領域に、ウレタン樹脂、又は、エポキシ樹脂等の樹脂層１０を積層するとともに、その樹脂層１０の表面に金属反射層１１を形成する。金属反射層１１としては、クロム、アルミ等の金属を積層する。
【００２３】
金属反射層１１の表面に干渉薄膜層１２を積層する。図６（イ）（ロ）に示すように、薄膜材料としては、フッ化マグネシュウム、フッ化セリウム、一酸化ケイ素等のセラミック材料が用いられる。これらは、シゴキ塗装、吹き付け塗装方法を用いても可能であるが、化学的蒸着法、又は、物理的蒸着法を用いて行われる。干渉薄膜層１２の厚みは、０．０５〜１．５ミクロンに設定される。
【００２４】
このような干渉薄膜層１２を設けることによって、干渉薄膜層１２の表面で反射した光線ｂと、金属反射層１１で反射した光線ｃとが、干渉し、干渉薄膜層１２の膜厚と屈折率とで決まる波長の光線が消滅する。このことによって、消滅した光線色の補色が発色することとなる。
【００２５】
前記した光線の干渉原理は次ぎのようなものである。
つまり、光線の干渉は物理の公式、
ｎｄ＝（２ｍ＋１）λ／４で表され、
（ｎ：薄膜の屈折率、ｄ：薄膜の膜厚、ｍ：整数、λ：光線の波長）
この式を満たす波長の光線が消滅（消光）する。
尚、この公式では光線の波長の１／４の膜厚、若しくは、光線の波長の１／４の膜厚に波長の１／２の整数倍の膜厚を付加した膜厚でも干渉を生ずるものであり（この条件を満たすものでも、１０μｍ以上の膜厚では干渉不良になる）、白色光線が干渉により黄緑色光が消滅（消光）した場合には、黄緑色の補色、即ち紫色の反射光を得るものとなる。
【００２６】
この場合に、釣り竿の前下がり傾斜角が変化すると、光線の入射角が変化することとなり、干渉する波長が変化し、干渉薄膜層１２で発色する色が異なることなる。
したがって、魚の当りが確認された時点での発色を記憶することによって、当り位置を特定できる。
【００２７】
〔別実施形態〕
（１）  重錘式の水準計５において、指針５Ｂを二つ設けるものについて説明する。図７に示すように、第１実施形態で示した重錘式の水準計５においては、錘５ａの動きに対応して指し示す位置を変更する指針５Ｂを一つだけ設けていた。これを第１指針５Ｂとする。ここでは、更に、第２指針５Ｄを設ける点について説明する。
つまり、本体部５Ａの縁部に傾斜角を示す指標５ｃを設けてあるが、その縁部にその縁部に沿って移動可能で、かつ、摩擦保持機構（図示せず）によって位置固定される第２指針５Ｄを設ける。そして、第１指針５Ｂの先端部を第２指針５Ｄに当接する構成によって、第１指針５Ｂの当接を受けて第２指針５Ｄを連動させることができるが、第１指針５Ｂが基準位置（傾斜角が零の点Ｘ）に戻ると、第２指針５Ｄは自己が保有する摩擦保持機構の保持力によって、移動された位置Ｙを保持する。
このような構成によって、当りのあった時点での傾斜角を第２指針５Ｄの指し示す位置で知ることができる。
（２）  水準計５を取り付ける位置としては、元竿１ではなく、元上等であってもよい。
【図面の簡単な説明】
【００２８】
【図１】元竿に重錘式水準計を取り付けた状態を示す側面図
【図２】元竿に水泡式水準計を取り付けた状態を示す側面図
【図３】リールに水準計を取り付けた状態を示す側面図
【図４】（イ）元竿に重錘式水準計を取り付けた状態を示す側面図、（ロ）ベルトに重錘式水準計を取り付けた状態を示す正面図
【図５】板状リールシートより竿尻側に重錘式水準計を取り付けた状態を示す側面図
【図６】（イ）元竿に干渉薄膜でなる水準計を取り付けた状態を示す側面図、（ロ）干渉薄膜層を竿素材に積層した状態を示す縦断側面図
【図７】二つの指針を備えた水準計を示す側面図
【符号の説明】
【００２９】
５            水準計
８            ベルト
【図１】
2008067609.tif 000003
【図２】
2008067609.tif 000004
【図３】
2008067609.tif 000005
【図４】
2008067609.tif 000006
【図５】
2008067609.tif 000007
【図６】
2008067609.tif 000008
【図７】
2008067609.tif 000009